(57)【要約】【課題】リール全体の大型、重量化、及びコストアップの防止を図りながら、ロータ内部への糸落ち現象を確実に防止できる魚釣用スピニングリールを提供することである。【解決手段】本発明は、ハンドルＨの回転操作に連動回転するロータ３の腕部３ｂに設けた釣糸案内部３３を介して、前後動するスプール５に釣糸を巻回する魚釣用スピニングリールにおいて、ロータ３の前部外周に、ロータ３内部への釣糸侵入を阻止する環状凹部５０を設け、環状凹部５０の周溝を形成するリールボディ２側の環状壁５０ａをリールボディ２側に向けて傾斜形成したことを特徴とする。【選択図】  図２
2010252707.tif 000002
【特許請求の範囲】
【請求項１】
ハンドルの回転操作に連動回転するロータの腕部に設けた釣糸案内部を介して、前後動するスプールに釣糸を巻回する魚釣用スピニングリールにおいて、前記ロータの前部外周に、ロータ内部への釣糸侵入を阻止する環状凹部を設け、該環状凹部の周溝を形成するリールボディ側の環状壁を該リールボディ側に向けて傾斜形成したことを特徴とする魚釣用スピニングリール。
【請求項２】
ハンドルの回転操作に連動回転するロータの腕部に設けた釣糸案内部を介して、前後動するスプールに釣糸を巻回する魚釣用スピニングリールにおいて、前記ロータの前部外周に、ロータ内部への釣糸侵入を阻止する環状凹部を設け、該環状凹部の周溝を形成するスプール側の環状壁をリールボディ側の環状壁よりも径方向外方に突出するように高く形成したことを特徴とする魚釣用スピニングリール。
【発明の詳細な説明】
【技術分野】
【０００１】
本発明は、魚釣操作中におけるロータ内部への釣糸の侵入を防止する糸落ち防止機構を備えた魚釣用スピニングリールに関する。
【背景技術】
【０００２】
ハンドルの回転操作に連動回転するロータの腕部に設けた釣糸案内部を介して、前後動するスプールに釣糸を巻回する魚釣用スピニングリールにおいて、前記ロータの前部外周に、環状凹部を設けたり、或いは、この環状凹部に弾性材からなり、径方向外方に突出する環状鍔部を装着して、ロータ内部への釣糸侵入を阻止するようにしたものが、例えば、特許文献１で開示されている。
【先行技術文献】
【特許文献】
【０００３】
【特許文献１】特開２００２−８４９３２号
【発明の概要】
【発明が解決しようとする課題】
【０００４】
前記従来技術において、前者のロータ円筒部の前部外周に単に環状凹部を形成する形状では、スプールのスカート部後方からスプール内方に落ちたループ状の釣糸は、ロータ円筒部の外周面上を後方から前方へ移動することになるが、環状凹部の前後両壁面の外周縁部が同一円筒面上にあることより、後部壁面の外周縁部から前方へ移動する釣糸は、前部壁面の外周縁部に接触、或いは僅かに引っかかる程度となってロータの前部から前方へ飛び越えてしまい、ロータ内部への釣糸の落ち込みを充分に防止できない。又、後者のロータ円筒部の前部外周に弾性部材からなる環状鍔部を装着するものは、スプールとのクリアランスを考慮すると、スプールが大口径となってリールが大型、重量化する。又、弾性部材を装着する場合、釣糸が前方へ移動する際に釣糸の接触によって変形してしまい、糸落ち防止の確実性に欠ける。更に又、釣場の海水、紫外線等の影響を受けて弾性部材が劣化し、破損してしまう可能性があり、安定性に欠ける等の問題がある。
【０００５】
本発明の目的は前記欠点に鑑み、リール全体の大型、重量化、及びコストアップの防止を図りながら、ロータ内部への糸落ち現象を確実に防止できる魚釣用スピニングリールを提供することである。
【課題を解決するための手段】
【０００６】
上記課題を解決するために、請求項１に係わる発明は、ハンドルの回転操作に連動回転するロータの腕部に設けた釣糸案内部を介して、前後動するスプールに釣糸を巻回する魚釣用スピニングリールにおいて、前記ロータの前部外周に、ロータ内部への釣糸侵入を阻止する環状凹部を設け、該環状凹部の周溝を形成するリールボディ側の環状壁を該リールボディ側に向けて傾斜形成したことを特徴とする。
【０００７】
そして、請求項２に係わる発明は、ハンドルの回転操作に連動回転するロータの腕部に設けた釣糸案内部を介して、前後動するスプールに釣糸を巻回する魚釣用スピニングリールにおいて、前記ロータの前部外周に、ロータ内部への釣糸侵入を阻止する環状凹部を設け、該環状凹部の周溝を形成するスプール側の環状壁をリールボディ側の環状壁よりも径方向外方に突出するように高く形成したことを特徴とする。
【発明の効果】
【０００８】
請求項１及び請求項２によれば、構成の簡素化及びコストアップの防止を図りながら、ロータ内部への糸落ち現象を確実に防止できる魚釣用スピニングリールが提供できる。
【図面の簡単な説明】
【０００９】
【図１】請求項１の第１実施形態に係わる魚釣用スピニングリールの内部構造を示した断面側面図である。
【図２】図１に示す魚釣用スピニングリールのロータの拡大断面図である。
【図３】図２に示すロータの要部拡大断面図である。
【図４】請求項１の第２実施形態に係わるロータの要部拡大断面図である。
【図５】請求項１の第３実施形態に係わるロータの要部拡大断面図である。
【図６】請求項１の第４実施形態に係わるロータの要部拡大断面図である。
【図７】請求項２の第１実施形態に係わるロータの要部拡大断面図である。
【図８】請求項２の第２実施形態に係わるロータの要部拡大断面図である。
【図９】請求項２の第３実施形態に係わるロータの要部拡大断面図である。
【図１０】請求項２の第４実施形態に係わるロータの要部拡大断面図である。
【図１１】請求項２の第５実施形態に係わるロータの要部拡大断面図である。
【発明を実施するための形態】
【００１０】
以下、本発明に係わる魚釣用スピニングリールの実施形態について、添付図面を参照して具体的に説明する。
【００１１】
図１乃至図３は、本発明の請求項１に係わる魚釣用スピニングリールの第１実施形態を示す図であり、図１は、内部構造を示した断面側面図、図２は、ロータの拡大断面図、図３は、ロータの要部拡大断面図である。
【００１２】
魚釣用スピニングリール１は、釣竿に装着するための脚部２ａが形成されたリールボディ２と、リールボディ２の前方に回転可能に配されたロータ３と、ロータ３の回転に連動して前後動するスプール５とを有している。
【００１３】
リールボディ２には、ハンドル軸７が図示しない軸受を介して回転可能に支持されており、その突出端部には、ハンドルＨが取り付けられている。ハンドル軸７には、内歯が形成されたドライブギャ９が一体的に形成されており、このドライブギャ９には、ハンドル軸７と直交する方向に延出すると共に、内部に軸方向に延出する空洞部が形成されたピニオンギャ１０が噛合している。このピニオンギャ１０は、軸受を介してリールボディ２に回転可能に支持されており、その空洞部には、ハンドル軸７と直交する方向に延出し、先端側にスプール５を取り付けたスプール軸１１が軸方向に移動可能に挿通、支持されている。
【００１４】
また、前記ピニオンギャ１０には、スプール軸１１を前後動させるオシレーティング機構Ａが係合している。このオシレーティング機構Ａは、スプール軸１１と平行に延出するウォーシャフト１２と、このウォーシャフト１２の螺旋溝１２ａに係合する係合子１３を収容保持すると共に、スプール軸１１の基端部にビス止めして取り付けられた摺動子Ｓとを有している。ウォームシャフト１２の端部には、前記ピニオンギャ１０と噛合するギャ１５が取り付けられており、ウォームシャフト１２が、ピニオンギャ１０及びギャ１５を介して回転駆動されることで、スプール軸１１は螺旋溝１２ａ内に係合される係合子１３を介して前後往復動される。
【００１５】
前記ピニオンギャ１０はスプール５側に向けて延出しており、その先端部において、ナット１７を介して前記ロータ３が取り付けられている。又、ピニオンギャ１０には、その中間部に一方向クラッチ２０が取り付けられており、リールボディ２の後部に取り付けられているレバー２２を揺動操作することで、一方向クラッチ２０を作動させ、釣糸の繰り出しに伴うロータ３の逆回転を防止するようになっている。
【００１６】
前記ロータ３は、前記スプール５の内部に位置する筒状部３ａと、スプール５の回りを回転する一対の腕部３ｂとを備えて構成されており、この一対の腕部３ｂのそれぞれの前端部には、ベール３０の基端部を取り付けたベール支持部材３２が釣糸巻き取り位置と釣糸放出位置との間で揺動自在に支持されている。なお、ベール３０の一方の基端部は、ベール支持部材３２に一体的に設けられた釣糸案内部３３に取り付けられている。
【００１７】
前記スプール５は、実際に釣糸が巻回される巻回胴部５ａと、その前側及び後側に前側鍔部５ｂ及びスカート部５ｃとを備えており、前記スプール軸１１に、ドラグノブ３５を介して取り付けられている。
【００１８】
上記した構成により、ハンドルＨを巻き取り操作することで、ロータ３がドライブギャ９及びピニオンギャ１０を介して回転駆動され、かつスプール５がピニオンギャ１０及びオシレーティング機構Ａを介して前後動されるので、釣糸は、釣糸案内部３３を介してスプール５の巻回胴部５ａに均等に巻回される。
【００１９】
また、図２及び図３に示すように、ロータ３の筒状部３ａの前部外周には、糸落ちを防止する環状凹部５０が形成されている。本実施形態に係わるスピニングリール１では、環状凹部５０の周溝を形成する環状凹部５０の底面から立ち上がるリールボディ２側の環状壁５０ａを、ロータ３の回転軸線Ｘに直交する垂線Ｐに対してリールボディ２側に向けて４５度から８０度の範囲の傾斜角Ｂ１で傾斜形成されている。
【００２０】
このような環状壁５０ａを有する環状凹部の構成によれば、スプール５のスカート部５ｃの後方から、張力変化、撚れ等の影響でスプール５の内方へ落ちたループ状の釣糸Ｌは、ロータ３の筒状部３ａの外周面上を後方から前方へ移動するが、この時に環状凹部５０のリールボディ２側に傾斜形成した環状壁５０ａの傾斜案内作用によって、釣糸Ｌは、環状凹部５０内に入り易くなり、前方への飛び越えを防止でき、ロータ３の内部への釣糸Ｌの侵入を阻止できる。このように、環状凹部５０の環状壁５０ａの形状を工夫する簡素な構成でコストアップの防止を図りながら、ロータ３内部への糸落ち現象を確実に防止できる。
【００２１】
図４は、請求項１に係わる魚釣用スピニングリールの第２実施形態を示す図である。
【００２２】
この第２実施形態は、ロータ３の回転軸線Ｘに直交する垂線Ｐに対して、環状凹部５０の底面から立ち上がるスプール５側の環状壁５０ｂを、リールボディ２側に向けて鋭角Ｂ２（１度から４５度の範囲）に傾斜形成している。この構成により第１実施形態に加えて、更に、環状凹部５０内に入り込んだ釣糸Ｌが前方に抜け出ることが確実に防止できる。
【００２３】
図５は、請求項１に係わる魚釣用スピニングリールの第３実施形態を示す図である。
この第３実施形態は、ロータ３の筒状部３ａの前部外周に、前記第１実施形態で示されたリールボディ２側に向けて傾斜形成された環状壁５０ａを有する環状凹部５０を、前後方向に複数形成したものであり、この連続する前後方向の係止作用により、ロータ３内部への糸落ちを更に確実に防止できる。
【００２４】
図６は、請求項１に係わる魚釣用スピニングリールの第４実施形態を示す図である。
この第４実施形態は、環状凹部５０を形成した別体の環状部材Ｋ１を、ロータ３の筒状部３ａの前部外周に形成した小径部３ｃに嵌合固定したもので、ロータ３の成形が形状の簡素化で容易になると共に、環状凹部５０の加工及び材料選択の自由度が向上する。
【００２５】
図７は、請求項２に係わる魚釣用スピニングリールの第１実施形態を示す図である。
この第１実施形態は、ロータ３の筒状部３ａの前部外周に形成した環状凹部５０の底面から立ち上がるスプール５側の環状壁５０ｂを、リールボディ２側の環状壁５０ａより径方向外方に突出するように高く形成したものである。スプール５の内方へ落ちた釣糸Ｌが、ロータ３の筒状部３ａの外周面上を後方から前方へ移動する際に、環状凹部５０のリールボディ２側の縁部５０ｃから前方へ飛び出した釣糸Ｌは、縁部５０ｃより径方向外方に突出するスプール５側の環状壁５０ｂで確実に阻止されて、ロータ３内部への糸落ちを確実に防止できる。
【００２６】
図８は、請求項２に係わる魚釣用スピニングリールの第２実施形態を示す図である。
この第２実施形態は、環状凹部５０のリールボディ２側の環状壁５０ａを、リールボディ２側に向けて傾斜形成すると共に、更に、この環状壁５０ａより、径方向外方に突出するように高く形成したスプール５側の環状壁５０ｂを、図４に示すのと同じようにリールボディ２側に向けて傾斜形成（鋭角）したものであり、この環状壁５０ｂの径方向外方に突出し、更に傾斜させた結合形状により、環状凹部５０内に入り込んだ釣糸Ｌの前方への飛び出しを、より確実に防止できる。
【００２７】
図９は、請求項２に係わる魚釣用スピニングリールの第３実施形態を示す図である。
この第３実施形態は、ロータ３の筒状部３ａの前部外周に、前記図７で示した環状凹部５０を前後方向に複数形成したものであり、この連続的な係止作用によって釣糸を確実に防止でき、ロータ３内部への糸落ちを更に確実に防止できる。
【００２８】
図１０は、請求項２に係わる魚釣用スピニングリールの第４実施形態を示す図である。
この第４実施形態は、前記図６と同様にロータ３の筒状部３ａの前部外周に形成した小径部３ｃに、図８と同様の環状壁５０ｂを形成した別体の環状部材Ｋ２を嵌合固定して環状凹部５０を形成したものである。
【００２９】
図１１は、請求項２に係わる魚釣用スピニングリールの第５実施形態を示す図である。
この第５実施形態は、前記図９と同様の前後方向に複数の環状凹部５０を形成した別体の環状部材Ｋ３を、ロータ３の筒状部３ａの前部外周に形成した小径部３ｃに嵌合固定したものである。
【００３０】
尚、ロータ３の筒状部３ａの前部外周に形成される環状凹部５０の数は、前記実施形態に限定されない。又、環状壁５０ａ、環状壁５０ｂのリールボディ２側、スプール５側に向けて傾斜形成する角度（ロータ３の回転軸線Ｘに直交する垂線Ｐに対する角度）は、リールのサイズ、種類、使用標準糸等を考慮して適宜設定される。又、別体の環状部材Ｋ１、Ｋ２、Ｋ３の材質は、軽量化の面より、合成樹脂材で形成されるのが好ましい。
【符号の説明】
【００３１】
２    リールボディ
３    ロータ
３ａ  筒状部
３ｂ  腕部
５    スプール
３３  釣糸案内部
５０  環状凹部
５０ａ  環状壁（リールボディ側）
５０ｂ  環状壁（スプール側）
【図１】
2010252707.tif 000003
【図２】
2010252707.tif 000004
【図３】
2010252707.tif 000005
【図４】
2010252707.tif 000006
【図５】
2010252707.tif 000007
【図６】
2010252707.tif 000008
【図７】
2010252707.tif 000009
【図８】
2010252707.tif 000010
【図９】
2010252707.tif 000011
【図１０】
2010252707.tif 000012
【図１１】
2010252707.tif 000013